【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
アセンブリ（２４）であって、
第１の全体方向（Ｇ１）に延びる織られた第１の織物（２６）であって、実質的に互いに平行であり、かつ該第１の全体方向（Ｇ１）に対して実質的に平行な経糸方向と呼ばれる第１の方向（Ｃ１）に延び、第１及び第２のフィラメント状部材（６５、６７）を各々が含む経糸要素と呼ばれる第１のフィラメント状要素（６４）を含む前記織られた第１の織物（２６）と、
織られた又は編まれた第２の織物（２８）と、
前記織られた第１の織物（２６）と前記織られた又は編まれた第２の織物（２８）とを互いに接続するフィラメント状担持要素（３２）であって、該織られた第１の織物（２６）と該織られた又は編まれた第２の織物（２８）との間を延びる少なくとも１つのフィラメント状担持部分（７４）を各々が含む前記フィラメント状担持要素（３２）を含む担持構造体（３０）と、
を含み、
前記織られた第１の織物（２６）は、ｍで表される前記第１の全体方向（Ｇ１）の該織られた第１の織物（２６）の静止長さＬに対して、
（２π×Ｈ）／Ｌよりも小さいか又はそれに等しい前記織られた第１の織物（２６）の前記第１の全体方向（Ｇ１）のあらゆる伸長に対して、前記第１のフィラメント状部材（６５）が非ゼロ伸長を有し、かつ破断されず、
超えた場合に前記第２のフィラメント状部材（６７）が破断される（２π×Ｈ）／Ｌよりも小さいか又はそれに等しい前記織られた第１の織物（２６）の前記第１の全体方向（Ｇ１）の伸長がある、
ように配置され、
Ｈ０が、各フィラメント状担持部分（７４）が静止している時の前記織られた第１の織物（２６）の内面（４２）と前記織られた又は編まれた第２の織物（２８）の内面（４６）との間の平均直線距離であり、Ｈ及びＨ０がｍで表され、かつＫ＝０．５０である時に、Ｈ０×Ｋ≦Ｈである、
ことを特徴とするアセンブリ（２４）。
【請求項２】
前記第２のフィラメント状部材（６７）は、実質的に直線的であり、前記第１のフィラメント状部材（６５）は、該第２のフィラメント状部材（６７）の周りに螺旋状に巻き付けられている、
請求項１に記載のアセンブリ（２４）。
【請求項３】
前記織られた第１の織物（２６）は、ｌが、ｍで表される該織られた第１の織物の幅であり、かつＰ０＝１００  ０００である時に、前記第１の全体方向（Ｇ１）に該織られた第１の織物（２６）に印加される（Ｐ０×（Ｌ／２π＋Ｈ）×ｌ）／２よりも小さいか又はそれに等しいＮで表されるいずれかの非ゼロ応力負荷に対して、各第１のフィラメント状経糸要素６４の前記第１のフィラメント状部材（６５）が、その長さの少なくとも一部にわたって該第１の全体方向（Ｇ１）に非ゼロの伸長を示し、かつ破断されないように配置されている、
請求項１または２に記載のアセンブリ（２４）。
【請求項４】
前記織られた第１の織物（２６）は、各フィラメント状経糸要素６４の前記第２のフィラメント状部材（６７）を破断するのに必要な前記第１の全体方向（Ｇ１）に該織られた第１の織物に印加されるＮで表される応力負荷が、ｌが、ｍで表される該織られた第１の織物（２６）の幅であり、かつＰ０＝１００  ０００である時に（Ｐ０×（Ｌ／２π＋Ｈ）×ｌ）／２よりも小さいか又はそれに等しいように配置されている、
請求項１から３のいずれか１項に記載のアセンブリ（２４）。
【請求項５】
前記織られた第１の織物（２６）は、
第１の横断直線ゾーン群の少なくとも１つの横断直線ゾーン（Ｚ１）であって、該第１の横断直線ゾーン群の各横断直線ゾーン（Ｚ１）が、前記第１の全体方向（Ｇ１）に該第１の横断直線ゾーン群の少なくとも１つの横断直線ゾーン（Ｚ１）の部分破断を有する伸長を可能にするように配置される前記第１の横断直線ゾーン群の少なくとも１つの横断直線ゾーン（Ｚ１）と、
第２の横断直線ゾーン群の少なくとも１つの横断直線ゾーン（Ｚ２）であって、該第２の横断直線ゾーン群の各横断直線ゾーン（Ｚ２）が、該第２の横断直線ゾーン群の各横断直線ゾーン（Ｚ２）の破断を防ぐように配置される前記第２の横断直線ゾーン群の少なくとも１つの横断直線ゾーン（Ｚ２）と、を含み、
各第１及び第２の横断直線ゾーン群の各横断直線ゾーン（Ｚ１、Ｚ２）が、前記織られた第１の織物（２６）の幅全体にわたって延びる、
請求項１から４のいずれか１項に記載のアセンブリ（２４）。
【請求項６】
第１及び第２のポリマー化合物（３４、３６）でそれぞれ作られた第１及び第２の層（３３、３５）と、
織られた第１の織物（２６）が、前記第１のポリマー組成物（３４）で少なくとも部分的に含浸され、
織られた又は編まれた第２の織物（２８）が、前記第２のポリマー組成物（３６）で少なくとも部分的に含浸される、
請求項１から請求項５のいずれか１項に記載のアセンブリ（２４）と、
を含むことを特徴とする含浸アセンブリ（２１）。
【請求項７】
主軸（ＹＹ’）の周りに回転するタイヤ（２０）であって、
実質的に互いに平行であり、かつ経糸方向と呼ばれる第１の方向（Ｃ１）に延びる経糸要素と呼ばれる第１のフィラメント状要素（６４）を含む織られた第１の織物（２６）を含む回転対称性を示す第１の構造体（２５）であって、タイヤ（２０）の円周方向（ＸＸ’）が、該第１の経糸方向（Ｃ１）との１０°よりも小さいか又はそれに等しい角度を形成し、各第１のフィラメント状経糸要素（６４）が、第１及び第２のフィラメント状部材（６５、６７）を含む前記第１の構造体（２５）と、
織られた又は編まれた第２の織物（２８）を含み、前記回転対称性を示す第１の構造体（２５）の内側で半径方向に配置される回転対称性を示す第２の構造体（２７）と、
前記織られた第１の織物（２６）と前記織られた又は編まれた第２の織物（２８）とを互いに接続するフィラメント状担持要素（３２）であって、該織られた第１の織物（２６）と該織られた又は編まれた第２の織物（２８）との間を延びる少なくとも１つのフィラメント状担持部分（７４）を各々が含む前記フィラメント状担持要素（３２）を含む担持構造体（３０）と、
前記織られた第１の織物（２６）の内面（４２）と前記織られた又は編まれた第２の織物（２８）の内面（４６）とによって半径方向に境界が定められた内部環状空間（５２）であって、
Ｈ０が、各フィラメント状担持部分（７４）が静止している時の前記内部環状空間（５２）の平均半径方向高さであり、
Ｈが、Ｋ＝０．５０である時にＨ０×Ｋ≦Ｈであるようなタイヤ（２０）に印加される荷重の不在時かつタイヤ（２０）内の圧力の不在時の前記内部環状空間（５２）の平均半径方向高さである、
前記内部環状空間（５２）と、を含み、
前記タイヤにおいて、
各第１のフィラメント状経糸要素（６４）の前記第１のフィラメント状部材（６５）は、少なくともその長さの一部にわたって、前記第１の経糸方向（Ｃ１）に非ゼロ伸長を示し、かつ破断されず、
各第１のフィラメント状経糸要素（６４）の前記第２のフィラメント状部材（６７）は、その長さに沿って少なくとも１つの点で破断される、
ことを特徴とするタイヤ（２０）。
【請求項８】
前記織られた第１の織物（２６）は、
第１の横断直線ゾーン群の少なくとも１つの横断直線ゾーン（Ｚ１）であって、各々がタイヤ（２０）の前記円周方向（ＸＸ’）に非ゼロ伸長を示し、かつ部分的に破断される前記少なくとも１つの横断直線ゾーン（Ｚ１）と、
第２の横断直線ゾーン群の少なくとも１つの横断直線ゾーン（Ｚ２）であって、各々が破断されない前記少なくとも１つの横断直線ゾーン（Ｚ２）と、を含み、
各第１及び第２の横断直線ゾーン群の各横断直線ゾーン（Ｚ１、Ｚ２）が、前記織られた第１の織物（２６）の幅全体にわたって延びる、
ことを特徴とする請求項７に記載のタイヤ（２０）。
【請求項９】
前記第１の横断直線ゾーン群の各横断直線ゾーン（Ｚ１）の各第１のフィラメント状経糸要素（６４）の前記第１のフィラメント状部材（６５）は、前記第１の経糸方向（Ｃ１）に非ゼロ伸長を示し、かつ破断されず、
前記第１の横断直線ゾーン群の各横断直線ゾーン（Ｚ１）の各第１のフィラメント状経糸要素（６４）の前記第２のフィラメント状部材（６７）は、その長さに沿って該第１の横断直線ゾーン群の少なくとも１つの横断直線ゾーン（Ｚ１）内の少なくとも１つの点で破断される、
請求項８に記載のタイヤ（２０）。
【請求項１０】
タイヤ（２０）を製造する方法であって、
第１の経糸方向（Ｃ１）とタイヤ構築ドラム（８０）の円周方向（ＸＸ’）とが、１０°よりも小さいか又はそれに等しい角度を形成するように、
実質的に互いに平行であり、かつ経糸方向と呼ばれる第１の方向（Ｃ１）に延びる経糸要素と呼ばれる第１のフィラメント状要素（６４）であって、各第１のフィラメント状経糸要素（６４）が、第１及び第２のフィラメント状部材（６５、６７）を含む前記第１のフィラメント状要素（６４）を含む織られた第１の織物（２６）と、
織られた又は編まれた第２の織物（２８）と、
前記織られた第１の織物（２６）と前記織られた又は編まれた第２の織物（２８）とを互いに接続するフィラメント状担持要素（３２）であって、該織られた第１の織物（２６）と該織られた又は編まれた第２の織物（２８）との間を延びる少なくとも１つのフィラメント状担持部分（７４）を各々が含む前記フィラメント状担持要素（３２）を含む担持構造体（３０）と、
を含む回転軸（ＹＹ’）の周りに実質的に回転するタイヤ構築ドラム（８０）の周りに巻き付けられたアセンブリ（２４）が存在し、
前記織られた第１の織物（２６）は、
前記織られた第１の織物（２６）の内面（４２）と前記織られた又は編まれた第２の織物（２８）の内面（４６）とによって半径方向に境界が定められ、Ｋ＝０．５０であり、かつＨ０が各フィラメント状担持部分（７４）が静止している時の該織られた第１の織物（２６）の該内面（４２）と該織られた又は編まれた第２の織物（２８）の該内面（４６）との間の平均半径方向高さである時にＨ０×Ｋ≦Ｈであるような平均半径方向距離Ｈだけ互いから離れた内部環状空間（５２）を形成するように、
各第１のフィラメント状経糸要素（６４）の前記第１のフィラメント状部材（６５）が、その長さの少なくとも一部にわたって前記経糸方向（Ｃ１）に破断を伴わずに伸長された状態であるように、かつ
各第１のフィラメント状経糸要素（６４）の前記第２のフィラメント状部材（６７）が、その長さに沿って少なくとも１つの点で破断するように、
前記回転軸から離れるように半径方向に移動される、
ことを特徴とする方法。